(57)【要約】【課題】  本発明は、通常の入力画面を有する情報通信装置において、既存の電話番号入力方式と内線、外線通信の形態を大きく変更することなくＥＮＵＭ（＝ｔＥｌｅｐｈｏｎｅ  ＮＵｍｂｅｒ  Ｍａｐｐｉｎｇ）と連動して通信相手のアドレスを入手して通信することを可能とする情報通信装置およびその制御方法を提供する。【解決手段】  通信相手の電話番号が入力可能な電話番号画面を備えた情報通信装置において、複数のトップレベルドメイン（ＴＬＤ）のうちの何れのＴＬＤを使用するかをＴＬＤ選択手段で選択し、通信相手の電話番号を電話番号入力手段で入力し、該入力された通信相手の電話番号にＴＬＤ選択手段で選択されたＴＬＤを付加して変換したＥＮＵＭ形式のアドレス情報を用いてＤＮＳサーバに問い合わせることにより通信相手の電話番号に対応した少なくとも１つのインターネット資源のアドレスを取得する。【選択図】  図２
2006041915.tif 000002
【特許請求の範囲】
【請求項１】
通信相手の電話番号が入力可能な電話番号画面を備えた情報通信装置において、
複数のトップレベルドメイン（ＴＬＤ）のうちの何れのＴＬＤを使用するかを選択するＴＬＤ選択手段と、
前記電話番号画面に通信相手の電話番号を入力する電話番号入力手段と、
前記電話番号入力手段で入力された前記通信相手の電話番号に前記ＴＬＤ選択手段で選択された該ＴＬＤを付加してＥＮＵＭ形式のアドレス情報に変換する変換手段と、
前記変換手段で変換された前記ＥＮＵＭ形式のアドレス情報を用いてＤＮＳサーバに問い合わせることにより前記通信相手の電話番号に対応した少なくとも１つのインターネット資源のアドレスを取得するＤＮＳ問合せ手段と
を具備することを特徴とする情報通信装置。
【請求項２】
前記ＤＮＳ問合せ手段により取得される前記通信相手の電話番号に対応した少なくとも１つのインターネット資源のアドレス情報は、
前記複数のＴＬＤに対応して複数のＤＮＳサーバに記憶されていること
を特徴とする請求項１記載の情報通信装置。
【請求項３】
前記変換手段は、
前記ＴＬＤ選択手段で選択された該ＴＬＤに基づき前記ＥＮＵＭ形式のアドレス情報への変換に用いる指定番号、国番号、地域番号、市外局番、トップレベルドメインの中の少なくとも１つを含むデフォルト情報を予め設定する設定手段
を更に具備し、
前記設定手段により設定された前記デフォルト情報と前記電話番号入力手段で入力された前記通信相手先の電話番号とに基づき前記通信相手の電話番号を前記ＥＮＵＭ形式のアドレス情報に変換することを特徴とする請求項１記載の情報通信装置。
【請求項４】
前記変換手段で変換されたＥＮＵＭ形式のアドレス情報を前記電話番号画面に入力された前記通信相手の電話番号とともに表示するＥＮＵＭ形式アドレス情報表示手段と
を更に具備することを特徴とする請求項１または３記載の情報通信装置。
【請求項５】
前記設定手段で設定された前記デフォルト情報を前記ＥＮＵＭ形式アドレス情報表示手段の表示領域に表示するデフォルト情報表示手段
を更に具備し、
前記ＥＮＵＭ形式アドレス情報表示手段は、
前記電話番号入力手段で入力された前記通信相手の電話番号の入力に応じて前記デフォルト情報表示手段で表示された前記デフォルト情報に前記変換手段で変換された前記ＥＮＵＭ形式アドレス情報に順次追加表示する
ことを特徴とする請求項４記載の情報通信装置。
【請求項６】
前記ＤＮＳ問合せ手段による問合せにより前記ＤＮＳサーバから取得した前記通信相手の電話番号に対応するインターネット資源のアドレスを表示するインターネット資源アドレス表示手段と、
前記インターネット資源アドレス表示手段で表示されたインターネット資源のアドレスを用いて所望のサービスを実行するサービス実行手段と
を更に具備することを特徴とする請求項１乃至５のいずれかに記載の情報通信装置。
【請求項７】
通信相手の電話番号が入力可能な電話番号画面を備えた情報通信装置の制御方法において、
複数のトップレベルドメイン（ＴＬＤ）のうちの何れのＴＬＤを使用するかをＴＬＤ選択手段で選択し、
前記電話番号画面に通信相手の電話番号を電話番号入力手段で入力し、
前記電話番号入力手段で入力された前記通信相手の電話番号に前記ＴＬＤ選択手段で選択された該ＴＬＤを付加してＥＮＵＭ形式のアドレス情報へ変換手段で変換し、
前記変換手段で変換された前記ＥＮＵＭ形式のアドレス情報を用いてＤＮＳサーバに問い合わせることにより前記通信相手の電話番号に対応した少なくとも１つのインターネット資源のアドレスを取得すること
を特徴とする情報通信装置の制御方法。
【発明の詳細な説明】
【技術分野】
【０００１】
本発明は、情報通信装置およびその制御方法に関し、特に、通常の入力画面を有する情報通信装置において、既存の電話番号入力方式と内線、外線通信の形態を大きく変更することなくＥＮＵＭ（＝ｔＥｌｅｐｈｏｎｅ  ＮＵｍｂｅｒ  Ｍａｐｐｉｎｇ）と連動して通信相手のアドレスを入手し、通信することを可能とする情報通信装置およびその制御方法に関する。
【背景技術】
【０００２】
近年、インターネット等のネットワーク技術やネットワークを介して行う通信のプロトコル、ネットワークに接続するコンピュータ機器等の発達と普及に伴い、公衆網電話回線を介した通信に比べ通信コストが安価で他用途の通信が可能なネットワーク通信が広く利用されている。
【０００３】
また、ひとつの通信装置で公衆網電話回線とネットワークとを介した通信を可能とするような通信装置も提供されている。
【０００４】
このような通信装置では、例えば、公衆網電話回線を介した通信を行う場合は、通信を行う通信相手の電話番号を入力することで電話番号に対応付けられた通信相手と通信を行うことができる。
【０００５】
また、インターネットを介した通信を行う場合は、通信を行う通信相手のＩＰ（＝Ｉｎｔｅｒｎｅｔ  Ｐｒｏｔｏｃｏｌ）アドレス等を入力することでＩＰアドレス等に対応付けられた通信相手と通信を行うことができる。
【０００６】
このように、ひとつの装置で公衆網電話回線または、ネットワークを介した通信を可能とするような通信装置は、機能的には利便性が高いが、通信を行う通信相手が公衆網電話回線またはネットワークの何れに接続された通信相手かに対応して電話番号またはＩＰアドレス等を入力する必要がある。
【０００７】
このようなことから、ひとつの装置で公衆網電話回線または、ネットワークを介した通信を可能とするような通信装置においては、通信相手の宛先情報を簡易な方法で入力可能とするような通信装置や通信制御方法の提供が望まれている。
【０００８】
そこで、最近、ＩＴＵ−Ｔ（＝国際電気通信連合）のＥ．１６４勧告に基づく電話番号をキーとしてＤＮＳ(＝Ｄｏｍａｉｎ  Ｎａｍｅ  Ｓｙｓｔｅｍ)を検索することにより、電話番号に対応付けられた少なくとも１つの通信手段を有する通信相手のインターネット資源のアドレスを取得することが可能なＥＮＵＭ（＝ｔＥｌｅｐｈｏｎｅ  ＮＵｍｂｅｒ  Ｍａｐｐｉｎｇ）と呼ばれる技術が提案されている。
【０００９】
このＥＮＵＭ技術は、ＩＴＵ−ＴによるＥ．１６４勧告に基づく電話番号をＥＮＵＭ形式のドメイン名に変換し、変換したドメイン名をＥＮＵＭ用のＤＮＳに送って問い合せることにより、通信相手が利用可能な通信手段と該通信手段に対応付けられたアドレス情報をＵＲＩ形式で得ることができる技術である。
【００１０】
例えば、特許文献１には、ユーザが相手方の名前または識別子、例えばドメイン名等を入力するだけで相手方の電話番号を取り出すことが可能な通信ネットワークリソースロケーションに名前または識別子を割り付ける方法が提案されている。
【００１１】
具体的には、例えば、ユーザが通信相手の名前または識別子、例えばドメイン名をインターフェースデバイスに入力することで通信相手の名前または識別子に対応付けられた電話番号を取り出し、取り出した電話番号をダイヤルして相手方に電話をかけるような構成としたものである。
【００１２】
ところで、公衆網電話回線を用いた通信においては、例えばオフィスや工場等の構内に構内用交換機（ＰＢＸ）を設置し、設置した構内用交換機が構内の複数の情報通信装置、例えば電話機やファックス装置等の通信を内線、外線という通信形態で管理することで通信の利便性と通信費等の削減を図っている。
【００１３】
このようなことから、ひとつの装置で公衆網電話回線または、ネットワークを介した通信が可能な通信装置において、例えばＥＮＵＭと連動して通信相手の電話番号に対応付けられた少なくとも１つの通信手段を有する通信相手のインターネット資源のアドレスを取得し、取得したアドレスへ通信を行うような通信装置においても既存の公衆網電話回線を介した通信のように内線、外線の通信形態で通信できるような情報通信装置およびその制御方法の提供が望まれる。
【特許文献１】特開２００３−１２５０９９号公報
【発明の開示】
【発明が解決しようとする課題】
【００１４】
ところで、上記特許文献１に記載の構成は、ドメイン名の形式での相手方の名前または識別子を用いて相手側の電話番号を取得するだけで、コピー、ファックス、スキャン等の複数の機能を併せ持つ複合機における通常の電話番号の入力画面を用いてインターネット資源を利用した相手先のアドレスを入手して通信を実行することはできない。
【００１５】
また、複数の機能を併せ持つ複合機における通常の電話番号の入力画面を用いてインターネット資源を利用した相手先のアドレスを公衆網電話回線における内線、外線通信のような通信形態で通信を実行することはできない。
【００１６】
そこで、本発明は、通常の入力画面を有する情報通信装置において、既存の電話番号入力方式と内線、外線通信の形態を大きく変更することなくＥＮＵＭと連動して通信相手のアドレスを入手し、通信することを可能とする情報通信装置およびその制御方法を提供することを目的とする。
【課題を解決するための手段】
【００１７】
上記目的を達成するため、請求項１の発明は、通信相手の電話番号が入力可能な電話番号画面を備えた情報通信装置において、複数のトップレベルドメイン（ＴＬＤ）のうちの何れのＴＬＤを使用するかを選択するＴＬＤ選択手段と、前記電話番号画面に通信相手の電話番号を入力する電話番号入力手段と、前記電話番号入力手段で入力された前記通信相手の電話番号に前記ＴＬＤ選択手段で選択された該ＴＬＤを付加してＥＮＵＭ形式のアドレス情報に変換する変換手段と、前記変換手段で変換された前記ＥＮＵＭ形式のアドレス情報を用いてＤＮＳサーバに問い合わせることにより前記通信相手の電話番号に対応した少なくとも１つのインターネット資源のアドレスを取得するＤＮＳ問合せ手段とを具備することを特徴とする。
【００１８】
また、請求項２の発明は、請求項１の発明において、前記ＤＮＳ問合せ手段により取得される前記通信相手の電話番号に対応した少なくとも１つのインターネット資源のアドレス情報は、前記複数のＴＬＤに対応して複数のＤＮＳサーバに記憶されていることを特徴とする。
【００１９】
また、請求項３の発明は、請求項１の発明において、前記変換手段は、前記ＴＬＤ選択手段で選択された該ＴＬＤに基づき前記ＥＮＵＭ形式のアドレス情報への変換に用いる指定番号、国番号、地域番号、市外局番、トップレベルドメインの中の少なくとも１つを含むデフォルト情報を予め設定する設定手段を更に具備し、前記設定手段により設定された前記デフォルト情報と前記電話番号入力手段で入力された前記通信相手先の電話番号とに基づき前記通信相手の電話番号を前記ＥＮＵＭ形式のアドレス情報に変換することを特徴とする。
【００２０】
また、請求項４の発明は、請求項１または３の発明において、前記変換手段で変換されたＥＮＵＭ形式のアドレス情報を前記電話番号画面に入力された前記通信相手の電話番号とともに表示するＥＮＵＭ形式アドレス情報表示手段とを更に具備することを特徴とする。
【００２１】
また、請求項５の発明は、請求項４の発明において、前記設定手段で設定された前記デフォルト情報を前記ＥＮＵＭ形式アドレス情報表示手段の表示領域に表示するデフォルト情報表示手段を更に具備し、前記ＥＮＵＭ形式アドレス情報表示手段は、前記電話番号入力手段で入力された前記通信相手の電話番号の入力に応じて前記デフォルト情報表示手段で表示された前記デフォルト情報に前記変換手段で変換された前記ＥＮＵＭ形式アドレス情報に順次追加表示することを特徴とする。
【００２２】
また、請求項６の発明は、請求項１乃至５のいずれかの発明において、前記ＤＮＳ問合せ手段による問合せにより前記ＤＮＳサーバから取得した前記通信相手の電話番号に対応するインターネット資源のアドレスを表示するインターネット資源アドレス表示手段と、前記インターネット資源アドレス表示手段で表示されたインターネット資源のアドレスを用いて所望のサービスを実行するサービス実行手段とを更に具備することを特徴とする。
【００２３】
また、請求項７の発明は、通信相手の電話番号が入力可能な電話番号画面を備えた情報通信装置の制御方法において、複数のトップレベルドメイン（ＴＬＤ）のうちの何れのＴＬＤを使用するかをＴＬＤ選択手段で選択し、前記電話番号画面に通信相手の電話番号を電話番号入力手段で入力し、前記電話番号入力手段で入力された前記通信相手の電話番号に前記ＴＬＤ選択手段で選択された該ＴＬＤを付加してＥＮＵＭ形式のアドレス情報へ変換手段で変換し、前記変換手段で変換された前記ＥＮＵＭ形式のアドレス情報を用いてＤＮＳサーバに問い合わせることにより前記通信相手の電話番号に対応した少なくとも１つのインターネット資源のアドレスを取得することを特徴とする。
【発明の効果】
【００２４】
本発明の情報通信装置およびその制御方法によれば、複数のトップレベルドメイン（ＴＬＤ）のうちの何れのＴＬＤを使用するかをＴＬＤ選択手段で選択し、通信相手の電話番号を電話番号入力手段で入力し、入力された前記通信相手の電話番号に前記ＴＬＤ選択手段で選択された該ＴＬＤを付加したＥＮＵＭ形式のアドレス情報を用いてＤＮＳサーバに問い合わせることにより前記通信相手の電話番号に対応した少なくとも１つのインターネット資源のアドレスを取得するように構成したので、既存の電話番号入力方式と内線、外線通信の形態を大きく変更することなく通信相手の少なくとも１つのインターネット資源のアドレスへ通信を実行することができる。
【００２５】
また、通信相手に対してローカルな番号付けが可能となり、電話番号資源を有効に活用することができるという効果を奏する。
【発明を実施するための最良の形態】
【００２６】
以下、本発明に係わる情報通信装置の一実施例について添付図面を参照して詳細に説明する。
【００２７】
図１は本発明に係わる情報通信装置１００の接続状態の一例を示した概略図である。
【００２８】
図１に示すように、情報通信装置１００は、構内ネットワーク１７０を介してインターネット１８０と接続され、構内電話回線２２０及び構内交換機（ＰＢＸ）２１０を介して公衆網電話回線（ＰＳＴＮ）２００と接続されている。
【００２９】
インターネット１８０にはＩＰ（＝Ｉｎｔｅｒｎｅｔ  Ｐｒｏｔｏｃｏｌ）電話機２０、ＷＷＷや電子メール通信が可能なコンピュータ３０、４０及びインターネットＦＡＸ装置（＝ｉＦＡＸ）５０等の各端末装置が接続され、公衆網電話回線（ＰＳＴＮ）２００には、電話機１０やＦＡＸ装置１１等の各種端末装置が接続されている。
【００３０】
また、インターネット１８０には、本発明に係わる情報通信装置の制御を実現可能とするＥＮＵＭ技術を適用したＥＮＵＭ用のＤＮＳであるＥＮＵＭ用ＤＮＳ１９０と接続されている。
【００３１】
また、構内ネットワーク１７０には、情報通信装置１００の他に、構内ネットワーク１７０を介して情報通信を行うＩＰ電話機１１１、電子メール通信が可能なコンピュータ１１２及びインターネットＦＡＸ装置（＝ｉＦＡＸ）１１３等の各端末装置が接続されており、更に構内ネットワーク１７０には、構内ネットワーク１７０に接続された各端末装置の電話番号に対応した後述するＮＡＰＴＲ−ＲＲ情報を管理する構内用のＥＮＵＭ用ＤＮＳ１１０（以下、「構内ＥＮＵＭ用ＤＮＳ１１０」という。）が接続されている。
【００３２】
構内交換機２１０と接続された構内電話回線２１０には、電話機２１１やＦＡＸ装置２１２等が接続されており、これらの内線、外線の通信制御が構内交換機２１０によって行われる。
【００３３】
ここで言うＥＮＵＭとは、ＩＴＵ−ＴのＥ．１６４勧告に基づく電話番号をキーとしてＥＮＵＭ用ＤＮＳ１９０に登録されたＮＡＰＴＲ（Ｎａｍｉｎｇ  Ａｕｔｈｏｒｉｔｙ  Ｐｏｉｎｔｅｒ）−ＲＲ（＝Ｒｅｓｏｕｒｃｅ  Ｒｅｃｏｒｄ）を検索し、Ｅ．１６４勧告に基づく電話番号に対応するひとつまたは複数のアプリケーションをＵＲＩ（＝Ｕｎｉｆｏｒｍ  Ｒｅｓｏｕｒｃｅ  Ｉｄｅｎｔｉｆｉｅｒｓ）形式で得る機構である。
【００３４】
具体的には、Ｅ．１６４勧告に基づく電話番号をＥＮＵＭ形成のドメイン名に変換し、ＥＮＵＭ形成のドメイン名に対応付けられたひとつまたは複数の通信手段、例えばプロトコル・サービス及び当該通信手段で通信する場合のアドレス情報等をＵＲＩ形式で得るシステムである。
【００３５】
なお、ここで言うＵＲＩとは、インターネット上の各種情報リソースにアクセスする手段（プロトコル）と場所を指定する記述様式であるＵＲＬ（＝Ｕｎｉｆｏｒｍ  Ｒｅｓｏｕｒｃｅ  Ｌｏｃａｔｏｒ）を拡張した記述様式で抽象的な資源あるいは場所で指定された資源を識別する簡潔な文字列を示す。
【００３６】
また、ＮＡＰＴＲ−ＲＲは、電話番号に基づくドメイン名に対応付けられた通信種別、例えば通信プロトコル等の種別や通信相手のアドレス等の情報を記録したものであり、詳細は後述する。
【００３７】
また、ＥＮＵＭは、現在、ＥＮＵＭ仕様の検討及び標準化がＩＥＴＦ（＝Ｉｎｔｅｒｎｅｔ  Ｅｎｇｉｎｅｅｒｉｎｇ  Ｔａｓｋ  Ｆｏｒｃｅ）のＥＮＵＭワーキンググループを中心に進められており、本発明に係わる情報通信装置１００で適用されるＥＮＵＭは、ＩＥＴＦのＥＮＵＭの仕様に準拠するものである。
【００３８】
ＥＮＵＭにより、ひとつのＥ．１６４に基づく電話番号をインターネット１８０上の利用可能なひとつまたは複数のアプリケーションに対応付けることができることから、Ｅ．１６４に基づく電話番号に対する電話以外の通信手段を統合的に提供することが可能となる。
【００３９】
また、構内ＥＮＵＭ用ＤＮＳ１１０には、ＥＮＵＭを応用して構内に設置された各端末の内線番号に対応する内線番号をキーとして構内ＥＮＵＭ用ＤＮＳ１１０に登録されたＮＡＰＴＲ−ＲＲを検索し、内線番号に対応するひとつまたは複数のアプリケーションをＵＲＩ形式で得るように構成されている。
【００４０】
図１に示すように、情報通信装置１００は、通信相手のＥ．１６４に基づく電話番号、または内線番号に基づきＥＮＵＭ用ＤＮＳ１９０、または構内ＥＮＵＭ用ＤＮＳ１１０に登録された通信相手の端末装置が利用可能な通信手段及びアドレス等の情報が記録されたＮＡＰＴＲ−ＲＲ情報を参照し、通信相手の端末装置に相応しいアプリケーションを起動して通信相手の端末装置と通信を行うことを可能にする。
【００４１】
具体的には、例えば構内ネットワーク１７０内または構内電話回線２２０内に接続された通信相手と情報通信を行いたい場合は（このような場合をここではＥＮＵＭ内線通信という。）、通信相手の構内の電話番号（内線番号）に対応付けられたドメイン名に基づき構内ＥＮＵＭ用ＤＮＳ１１０に問い合わせを行い、構内ＥＮＵＭ用ＤＮＳ１１０からドメイン名に対応付けられたＮＡＰＴＲ−ＲＲ情報を取得して通信相手のひとつまたは複数のアプリケーションをＵＲＩ形式で得る。
【００４２】
また、例えば構外の通信相手と情報通信を行いたい場合は（このような場合をここではＥＮＵＭ外線通信という。）、通信相手の電話番号（外線番号）に対応付けられたドメイン名に基づきＥＮＵＭ用ＤＮＳ１９０に問い合わせを行い、ＥＮＵＭ用ＤＮＳ１９０からドメイン名に対応付けられたＮＡＰＴＲ−ＲＲ情報を取得して通信相手のひとつまたは複数のアプリケーションをＵＲＩ形式で得る。
【００４３】
例えば、ＮＡＰＴＲ−ＲＲ情報に基づき、「ｓｉｐ：ｉｎｆｏ＠ｎｉｃ．ａｄ．ｊｐ」というＵＲＩを得たとすると、これによりアプリケーションプログラムは、「ｓｉｐ：ｉｎｆｏ＠ｎｉｃ．ａｄ．ｊｐ」に対してＳＩＰを用いて通信相手の端末装置とのセッションを確立することが可能であることを認識することができる。
【００４４】
また、通信相手の端末装置がインターネットＦＡＸ通信が可能ならば情報通信装置１００は、例えばインターネットＦＡＸ通信が可能なアプリケーションやプロトコル等を起動してインターネットＦＡＸ通信を行う。
【００４５】
なお、アプリケーションには、電話、ＳＩＰ、Ｈ．３２３、ファクシミリ、インスタントメッセンジャー、インターネット電話、ＷＷＷ等が想定される。
【００４６】
このような情報通信が可能な情報通信装置１００の構成について図２を参照して詳細に説明する。
【００４７】
図２は，本発明に係わる情報通信装置１００の構成例を示すブロック図である。
【００４８】
図２に示すように、情報通信装置１００は、ＥＮＵＭと連動して公衆網電話回線２００や構内電話回線２２０及びインターネット１８０や構内ネットワーク１７０を介して情報の送受信が可能なように構成されており、インターネット１８０にはＥ．１６４の電話番号に基づくドメイン名に対応したＮＡＰＴＲ−ＲＲ情報を提供するＥＮＵＭ用ＤＮＳ１９０が接続され、構内ネットワーク１７０には、構内ネットワーク１７０内で接続された各端末装置に割り振られた番号、いわゆる内線番号に基づくドメイン名に対応したＮＡＰＴＲ−ＲＲ情報を提供する構内ＥＮＵＭ用ＤＮＳ１１０が接続されている。
【００４９】
情報通信装置１００は、情報通信装置１００の全体を統括制御するシステム制御部１０１と、所定の解像度で原稿画像を読み取るスキャナ部１０２と、所定の解像度で画像を記録出力するプリンタ部１０３と、情報通信装置１００の操作で使用される各種操作キーおよび各種表示部をもつ操作／表示部１０４と、スキャナ部１０２から読み込まれた画像または、受信した画像を蓄積する画像蓄積部１０５と、システムデータや各種処理プログラム等を記憶するＲＡＭ（＝Ｒａｎｄｏｍ  Ａｃｃｅｓｓ  Ｍｅｍｏｒｙ）１０６と、公衆網電話回線２００を介して画情報の送受信の処理を行うＦＡＸ部１２０と、インターネット１８０を介してＧ３ファクシミリ伝送手順に準じ、リアルタイムに画情報の送受信の処理を行うリアルタイムｉＦＡＸ部１３０と、電子メール型インターネットファクシミリ通信方法で画情報等の送受信の処理を行う電子メールｉＦＡＸ部１４０と、インターネットを介してピア・ツー・ピア（Ｐｅｅｒ  ｔｏ  Ｐｅｅｒ）でのセッション接続を制御するセッション接続制御部１６０と、インターネット１８０を介してＥＮＵＭ用ＤＮＳ１９０または構内ＥＮＵＭ用ＤＮＳ１１０との間で送受信される情報の処理及び送受信の制御を行うＥＮＵＭ用ＤＮＳ処理部１５０とを備え、これら各部の制御信号及びデータ信号等がバス１０７を介して送受される。
【００５０】
また、情報通信装置１００は、インターネット１８０のトランスポート層とネットワーク層のプロトコル制御を行うＴＣＰ（＝Ｔｒａｎｓｍｉｓｓｉｏｎ  Ｃｏｎｔｒｏｌ  Ｐｒｏｔｏｃｏｌ）／ＵＤＰ（＝Ｕｓｅｒ  Ｄａｔａｇｒａｍ  Ｐｒｏｔｏｃｏｌ）／ＩＰ（＝Ｉｎｔｅｒｎｅｔ  Ｐｒｏｔｏｃｏｌ）制御部１０８と、データリンク層以下の通信制御を行うネットワークインタフェース１０９を備えており、情報通信装置１００とインターネット１８０とは、ネットワーク１７０を介して接続されている。
【００５１】
構内ネットワーク１７０は、例えばＬＡＮ（＝Ｌｏｃａｌ  Ａｒｅａ  Ｎｅｔｗｏｒｋ）等のネットワークであり、構内ネットワーク１７０には、前述したように構内ネットワーク１７０内で接続された各端末装置の内線番号に基づくドメイン名に対応したＮＡＰＴＲ−ＲＲ情報を提供する構内ＥＮＵＭ用ＤＮＳ１１０と、インターネット１８０と情報通信装置１００とが情報の送受信可能なように必要な図示せぬサーバ等が設置され構内ネットワーク１７０に接続された情報通信装置１００や各端末装置の管理等が行われている。
【００５２】
ＦＡＸ部１２０は、画情報の送受信時に画像の解像度、サイズ、符号則等を変換処理する通信画像処理部１２１と、ＩＴＵ−Ｔ勧告Ｔ．３０が規定するプロトコル制御を行うＴ３０制御部１２２と、アナログ信号とデジタル信号の変復調を行うモデム１２３と、公衆網電話回線２００との接続制御を行うＮＣＵ（＝Ｎｅｔｗｏｒｋ  Ｃｏｎｔｒｏｌ  Ｕｎｉｔ）１２５と、音声を入力する音声通話部１２４と、音声信号をＰＣＭ（＝Ｐｕｌｓｅ  Ｃｏｄｅ  Ｍｏｄｕｌａｔｉｏｎ）やＡＤＰＣＭ（Ａｄａｐｔｉｖｅ  Ｄｉｆｆｅｒｅｎｔｉａｌ  Ｐｕｌｓｅ  Ｃｏｄｅ  Ｍｏｄｕｌａｔｉｏｎ）等へ変換する音声符号化複合化部１２７と、ＲＴＰ（Ｒｅａｌ  ｔｉｍｅ  Ｔｒａｎｓｐｏｒｔ  Ｐｒｏｔｏｃｏｌ）等のリアルタイム転送プロトコルの制御を行うリアルタイム転送制御部１２８とを備えている。
【００５３】
リアルタイムｉＦＡＸ部１３０は、画情報の送受信時に画像の解像度、サイズ、符号則等を変換処理する通信画像処理部１３１と、ＩＴＵ−Ｔ勧告Ｔ．３０が規定するプロトコル制御を行うＴ３０制御部１３２と、リアルタイムファクシミリ用のＩＴＵ−Ｔ勧告Ｔ．３８が規定するプロトコル制御を行うＴ３８制御部１３３を備えている。
【００５４】
電子メールｉＦＡＸ部１４０は、画情報の送受信時に画像の解像度、サイズ、符号則等を変換処理する通信画像処理部１４１と、ＩＴＵ−Ｔ勧告Ｔ．３７が規定するインターネットファックスのプロトコル制御を行うＴ３７制御部１４２と、既存の電子メールの送受信制御を行うためのＳＭＴＰ(＝Ｓｉｍｐｌｅ  Ｍａｉｌ  Ｔｒａｎｓｆｅｒ  Ｐｒｏｔｏｃｏｌ）制御を行うＳＭＴＰ制御部１４３を備えている。
【００５５】
ＥＮＵＭ用ＤＮＳ処理部１５０は、ＥＮＵＭと連動してＥＮＵＭ用ＤＮＳ１９０または構内ＥＮＵＭ用ＤＮＳ１１０に対して問い合わせを行い、問い合わせに対するＥＮＵＭ用ＤＮＳ１９０または構内ＥＮＵＭ用ＤＮＳ１１０から返信されてくるＮＡＰＴＲ−ＲＲ情報を受信し、受信した情報に基づき後述する各種処理を行う。
【００５６】
ところで、このように構成された本発明に係わる情報通信装置１００は、ＥＮＵＭと連動して所定のネットワーク、例えば構内ネットワーク１７０や構内交換機（例えば構内交換機２１０）で管理された構内電話回線（例えば構内電話回線２２０）等に接続された通信相手と、当該通信相手が利用可能な少なくとも一つ以上の通信手段によって情報通信を行うＥＮＵＭ内線通信と、例えば構内ネットワーク１７０とインターネット１８０等を介して接続されたは構内ネットワーク１７０と他のネットワークに接続された通信相手または、公衆網電話回線２００を介して接続された構内電話回線２２０とは他の電話回線で接続された通信相手と、当該通信相手が利用可能な少なくとも一つ以上の通信手段によって情報通信を行うＥＮＵＭ外線通信が可能なように構成されている。
【００５７】
この情報通信装置１００によるＥＮＵＭ内線通信やＥＮＵＭ外線通信の処理動作について、画情報を送信する場合を例に簡単に説明すると、次のような処理動作となる。
【００５８】
例えば、図示せぬユーザが送信する画情報の原稿を情報通信装置１００の図示せぬ原稿台へ置き、情報通信装置１００の操作／表示部１０４に表示された後述するファックス基本画面３００（図３参照）からＥＮＵＭを利用したファックス送信を選択する。
【００５９】
ＥＮＵＭ利用によるファックス送信が選択されると、後述するＥＮＵＭ外線操作画面５００（図５参照）が表示されるので、ＥＮＵＭ外線による通信相手に対して画情報を送信する場合は、通信相手の電話番号を入力し、送信指示する。
【００６０】
また、ＥＮＵＭ内線による通信相手に対して画情報を送信する場合は、ＥＮＵＭ外線操作画面を後述するＥＮＵＭ内線操作画面５１０（図９参照）へ切替え、通信相手の内線番号を入力し、送信指示する。
【００６１】
各ＥＮＵＭ内線、ＥＮＵＭ外線に対応付けられた通信相手の電話番号が入力されると、情報通信装置１００が当該電話番号に対応したドメイン名に基づきＥＮＵＭ内線通信の場合は、構内ＥＮＵＭ用ＤＮＳ１１０に対して問い合わせを行い、ＥＮＵＭ外線通信の場合は、ＥＮＵＭ用ＤＮＳ１９０に対して問い合わせを行うことで入力された各電話番号に対応したＮＡＰＴＲ−ＲＲ情報を構内ＥＮＵＭ用ＤＮＳ１１０またはＥＮＵＭ用ＤＮＳ１９０から取得する。
【００６２】
情報通信装置１００は、取得したＮＡＰＴＲ−ＲＲ情報に基づき通信相手が利用可能な少なくと一つ以上の通信手段、例えば構内交換網２１０または公衆網電話回線２００を介したファックス通信、構内ネットワーク１７０またはインターネット１８０を介したインターネットファックス通信、電子メール通信等を操作／表示部１０４に表示させ、ユーザが所望の通信手段を選択するか、若しくは予め設定された各通信手段の優先順位に基づいて選択または優先順位に基づく通信手段により画情報信が通信相手へ送信される。
【００６３】
例えば通信手段として構内交換網２１０または公衆網電話回線２００を介したファックス通信が選択された場合は、システム制御部１０１の命令指示によってスキャナ部１０２で取り込まれた画像データが画像蓄積部１０５を経由してＦＡＸ部１２０に送られ、ＦＡＸ部１２０内のＮＣＵ１２５を介して構内交換網２１０内または公衆網電話回線２００へ接続された通信相手へ画情報が送信される。
【００６４】
また、通信手段としてインターネットファックス通信または電子メール型インターネットファクシミリ通信が選択された場合は、ステム制御部１０１の命令指示によってスキャナ部１０２で取り込まれた画像データが画像蓄積部１０５を経由してリアルタイムｉＦＡＸ部１３０または電子メールｉＦＡＸ部１４０にそれぞれ送られ、各通信手段に対応したプロトコル制御が行われた後、ＴＣＰ／ＵＤＰ／ＩＰ制御部１０８、ネットワークインターフェース１０９を介して構内ネットワーク１７０またはインターネット１８０に接続された通信相手へ画情報が送信される。
【００６５】
このような処理動作を行うＥＮＵＭ内線通信、ＥＮＵＭ外線通信の詳細について図３乃至図１０を参照しながら説明する。
【００６６】
図３は、情報通信装置１００の操作／表示部１０５に表示されたＦＡＸ基本画面３００の一例を示す図である。
【００６７】
図３に示すように、ＦＡＸ基本画面３００は、操作部３０１（破線で囲まれた部分）と電話番号等を入力するテンキーボタン部３０２（破線で囲まれた部分）が表示されており、操作部３０１は、メッセージ表示欄３０３（上段の黒塗り部分）と、操作表示欄３０４（下段の部分）とで構成されている。
【００６８】
メッセージ表示欄３０３には、「宛先を指定してください」等の操作指示を促すメッセージ等と、入力された通信相手の電話番号、内線または外線の種別が表示されるように構成されており、入力された電話番号が「宛先番号」欄に表示される。
【００６９】
また、操作表示欄３０４は、送信画質や原稿の画質を選択する画質選択ボタン３０５と、送信する原稿の濃度を調整する濃度調整ボタン３０６、３０７と、ＥＮＵＭを利用した送信を行うか否かを選択するＥＮＵＭ選択ボタン３０８と、内線または外線の何れの通信であるかを選択する内外線選択ボタン３０９が表示され、それぞれ選択指示できるように構成されている。
【００７０】
ＦＡＸ基本画面３００や後述する各種画面は、タッチパネル式となっており、画面上に表示されている各ボタンを指等でタッチすることで該ボタンに登録された機能が実行できるように構成されている。
【００７１】
このＦＡＸ基本画面３００において、内外線選択ボタン３０９を指等でタッチすると、ＦＡＸ基本画面３００のメッセージ表示欄３０３に表示された外線が内線表示に変化し、再度、内外線選択ボタン３０９を指等でタッチすると内線表示が外線表示に変化して内外線選択ボタン３０９を選択する毎に内線、外線が交互に表示され、表示された各内外線に応じた通信が可能となる。
【００７２】
具体的には、ＦＡＸ基本画面３００のメッセージ表示欄３０３に外線が表示された状態で通信相手の電話番号を入力し、画情報の送信を指示すると、情報通信装置１００で読み取った画情報が構内電話回線２２０、構内交換機２１０、公衆網電話回線２００を介して通信相手へ送信され、メッセージ表示欄３０３に内線が表示された状態で通信相手の内線番号を入力し、画情報の送信を指示すると、情報通信装置１００で読み取った画情報が構構内交換機２１０を介して電話回線２２０の通信相手へ送信される。  
また、ＦＡＸ基本画面３００において、ＥＮＵＭ選択ボタン３０８を指等でタッチすると、後述するＥＮＵＭ外線操作画面５００（図５参照）が表示され、所定の指示操作を行うことでＥＮＵＭと連動したＥＮＵＭ内線、またはＥＮＵＭ外線通信による画情報の送信ができる。
【００７３】
図４は、情報通信装置１００によるＥＮＵＭと連動してＥＮＵＭ外線通信を行う場合の処理動作を示すフローチャートである。
【００７４】
図４を参照しながら情報通信装置１００のＥＮＵＭ外線通信の処理動作について詳細に説明する。
【００７５】
図４に示すように、前述したＦＡＸ基本画面３００（図３参照）において、ＥＮＵＭ選択ボタン３０８が選択されると、図５に示すようなＥＮＵＭ利用によるＥＮＵＭ外線通信の操作画面であるＥＮＵＭ外線操作画面５００が表示される（ステップＳ４０１）。
【００７６】
図５に示すように、ＥＮＵＭ外線操作画面５００は、ＦＡＸ基本画面３００と同様に、操作部５０１（破線で囲まれた部分）と電話番号等を入力するテンキーボタン部５０２（破線で囲まれた部分）が表示されており、操作部５０１は、メッセージ表示欄５０３（上段の黒塗り部分）と、操作表示欄５０４（下段の部分）とで構成されている。
【００７７】
メッセージ表示欄５０３には、「宛先を指定してください」等の操作指示を促すメッセージ等と、入力された通信相手の外線の電話番号、ＥＮＵＭ外線の種別と入力された電話番号に対応したＥＮＵＭドメイン名が表示されるように構成されており、ＥＮＵＭドメイン名を示す「ＥＮＵＭ外線」の欄には、デフォルト値の「３．１．８．ｅ１６４．ａｒｐａ」が表示されている。
【００７８】
このデフォルト値「３．１．８．ｅ１６４．ａｒｐａ」は、左から順に「３．」が市外局番、「１．８．」が国番号「８１」の逆順、「３．１．８．ｅ１６４．ａｒｐａ」がＥＮＵＭ用のＴＬＤをそれぞれ示している。
【００７９】
なお、表示されたＥＮＵＭ形式のドメイン名のデフォルト値、例えば「３．１．８．ｅ１６４．ａｒｐａ」等の内容は設定変更が可能なように構成されている。
【００８０】
また、入力されたＥ．１６４に基づく電話番号は、「宛先番号」欄に表示されるとともに、入力された宛先番号に対応したＥＮＵＭ形式のドメイン名が「ＥＮＵＭ外線」欄に表示される。
【００８１】
操作表示欄５０４は、送信画質や原稿の画質を選択する画質選択ボタン５０５と、送信する原稿の濃度を調整する濃度調整ボタン５０６、５０７と、入力した宛先番号に対応付けられた通信相手が利用可能な通信手段の問い合わせをＥＮＵＭ用のＤＮＳ、例えばＥＮＵＭ用ＤＮＳ１９０に対して行うか否かを選択するＥＮＵＭ問合せボタン５０８と、ＥＮＵＭ内線またはＥＮＵＭ外線の何れの通信を行うかを選択する内外線選択ボタン５０９が表示され、それぞれ選択指示できるように構成されている。
【００８２】
ＥＮＵＭ外線操作画面５００で内外線選択ボタン５０９をタッチすると後述するＥＮＵＭ内線操作画面５１０（図９参照）が表示され、ＥＮＵＭ内線操作画面５１０で内外線選択ボタン５１９をタッチするとＥＮＵＭ外線操作画面５００が表示されるように構成されている。
【００８３】
ＥＮＵＭ外線操作画面５００において通信相手のＥ．１６４に基づく電話番号がテンキーボタン部５０２により入力されると（ステップＳ４０２）、入力と同時に入力された電話番号が「宛先番号」欄に表示されると同時に、入力された電話番号がＥＮＵＭ形式のドメイン名に変換されて「ＥＮＵＭ外線」欄に表示される（ステップＳ４０３）。
【００８４】
入力された電話番号をＥＮＵＭ形式のドメイン名に変換する方法は、例えば電話番号が「３５８５３２１１」と入力されると、数字間にドット「．」を付加した「３．５．８．５．３．２．１．１」と変換し、更に数字を逆順させて「１．１．２．３．５．８．５．３」とし、デフォルト値「３．１．８．ｅ１６４．ａｒｐａ」を付加して「１．１．２．３．５．８．５．３．３．１．８．ｅ１６４．ａｒｐａ」の文字列のドメイン名に変換する。
【００８５】
通信相手の電話番号が入力され、図示せぬ送信指示ボタンが選択されると（ステップＳ４０４でＹＥＳ）、入力された電話番号に基づきＥＮＵＭ用ＤＮＳ１９０に対して問い合わせ処理を行い、入力された電話番号に対応付けられた通信手段や通信手段の優先順位及びアドレス等の情報を記録したＮＡＰＴＲ−ＲＲ情報をＥＮＵＭ用ＤＮＳ１９０から取得する（ステップＳ４１０）。  
具体的には、入力された電話番号「３５８５３２１１」は、ＥＮＵＭ形式のドメイン名「１．１．２．３．５．８．５．３．３．１．８．ｅ１６４．ａｒｐａ」に変換後、システム制御部１０１の命令指示により操作／表示部１０４からバス１０７を介してＥＮＵＭ用ＤＮＳ処理部１５０に送られ、ＥＮＵＭ用ＤＮＳ処理部１５０とＴＣＰ／ＵＤＰ／ＩＰ制御部１０８とネットワークインタフェース１０９及びネットワーク１７０を介してインターネット１８０に接続されたＥＮＵＭ用ＤＮＳ１９０に送信されてドメイン名「１．１．２．３．５．８．５．３．３．１．８．ｅ１６４．ａｒｐａ」に対応したＮＡＰＴＲ−ＲＲ情報の問い合わせを行う。
【００８６】
ＥＮＵＭ用ＤＮＳ１９０には、図６に示すようなＩＴＵ−ＴのＥ．１６４勧告に基づく電話番号に対応したドメイン名と、ドメイン名に対応付けられた各通信手段と各通信手段に対応したアドレス及び通信手段の優先順位等の情報を記録したＮＡＰＴＲ−ＲＲ情報６００が図示せぬデータベースに登録されている。
【００８７】
なお、図６は、ＥＮＵＭ用ＤＮＳ１９０に登録されたＮＡＰＴＲ−ＲＲ情報６００の一例を示した図である。
【００８８】
図６に示すように、ＥＮＵＭ用ＤＮＳ１９０に登録されたＮＡＰＴＲ−ＲＲ情報６００は、一つのドメイン名に対して複数のリソースレコードが定義できるように構成されており、ＮＡＰＴＲ−ＲＲ情報６００の書式は、「＄ＯＲＩＧＩＮ」行と、「ＩＮ  ＮＡＰＴＲ」行とで構成され、「＄ＯＲＩＧＩＮ」行にはドメイン名、「ＩＮ  ＮＡＰＴＲ」行には、「＄ＯＲＩＧＩＮ」行のドメイン名に対応付けられた通信手段のプロトコル・サービスと、アドレス及び通信手段の優先順位等の情報を記録して登録可能なように構成されている。
【００８９】
具体的には、例えば、ドメイン名「１．１．２．３．５．８．５．３．３．１．８．ｅ１６４．ａｒｐａ」に対応したＮＡＰＴＲ−ＲＲ情報６５０は、ドメイン名を示す「＄ＯＲＩＧＩＮ」行６０の「１．１．２．３．５．８．５．３．３．１．８．ｅ１６４．ａｒｐａ」６０１というひとつのドメイン名に対してリソースレコード（ＲＲ）を示す複数の「ＩＮ  ＮＡＰＴＲ」行６１、６２・・・等が記録されて登録されている。
【００９０】
「ＩＮ  ＮＡＰＴＲ」行の書式は、「ＩＮ  ＮＡＰＴＲ  ｏｒｄｅｒ  ｐｒｅｆｅｒｅｎｃｅ  ｆｌａｇｓ  ｓｅｒｖｉｃｅ  ｒｅｇｅｘｐ  ｒｅｐｌａｃｅｍｅｎｔ」等の書式で定義され、「ｏｒｄｅｒ」及び「ｐｒｅｆｅｒｅｎｃｅ」は、優先順位情報を示し、「ｏｒｄｅｒ」の値が小さい順に優先順位を高く、「ｏｒｄｅｒ」の値が同一の値が複数存在する場合は、「ｐｒｅｆｅｒｅｎｃｅ」の値が小さい順に優先順位が高いことを示している。
【００９１】
また、「ｓｅｒｖｉｃｅ」に定義される文字列は、プロトコル・サービスを示し、「ｒｅｇｅｘｐ」及び「ｒｅｐｌａｃｅｍｅｎｔ」は、アドレス情報を示している。
【００９２】
このように、ひとつのドメイン名６０１に対して複数の「ＩＮ  ＮＡＰＴＲ」行６１、６２、・・・等に設定された通信手段が対応付けられて登録されている。
【００９３】
情報通信装置１００からのドメイン名「１．１．２．３．５．８．５．３．３．１．８．ｅ１６４．ａｒｐａ」に対応するＮＡＰＴＲ−ＲＲ情報の問い合わせに対してＥＮＵＭ用ＤＮＳ１９０は、ＥＮＵＭ用ＤＮＳ１９０に登録されているＮＡＰＴＲ−ＲＲ情報６００を参照し、ドメイン名「１．１．２．３．５．８．５．３．ｅ１６４．ａｒｐａ」に対応するＮＡＰＴＲ−ＲＲ情報６５０の「＄ＯＲＩＧＩＮ」行６０のドメイン名「１．１．２．３．５．８．５．３．３．１．８．ｅ１６４．ａｒｐａ」６０１を検索し、ドメイン名「１．１．２．３．５．８．５．３．３．１．８．ｅ１６４．ａｒｐａ」６０１に対応付けられた複数の「ＩＮ  ＮＡＰＴＲ」行６１、６２・・・等の情報をＮＡＰＴＲ−ＲＲ情報として情報通信装置１００に返信する。
【００９４】
なお、「ＩＮ  ＮＡＰＴＲ」行が示す具体的な情報は、例えば「ＩＮ  ＮＡＰＴＲ」行６１の「ＩＮ  ＮＡＰＴＲ  １００  １０  ”Ｕ”  ”  Ｅ２Ｕ＋ｍａｉｌｔｏ  ”          ”！＾．＊＄！ｍａｉｌｔｏ：ｉｎｆｏ−ｍａｉｌ＠ｍａｉｌ．ｃｏｍ！”．」においては、「Ｅ２Ｕ＋ｍａｉｌｔｏ」６１１が通信相手が利用可能なプロトコルの種類を示し、「ｉｎｆｏ−ｍａｉｌ＠ｍａｉｌ．ｃｏｍ」６１２がＵＲＩの情報をそれぞれ示している。   
また、情報通信装置１００から送信されたドメイン名がＥＮＵＭ用ＤＮＳ１９０に登録されていない場合は、宛先番号がＥＮＵＭ用ＤＮＳ１９０に登録されていない旨の情報を情報通信装置１００に返信する。
【００９５】
このように、ＥＮＵＭ用ＤＮＳ１９０に対する問い合わせの結果、ＮＡＰＴＲ−ＲＲ情報が得られなかった場合は、すなわち、ＥＮＵＭ用ＤＮＳ１９０に通信相手の電話番号に基づくＮＡＰＴＲ−ＲＲ情報が登録されてない場合は、「宛先は、ＥＮＵＭに登録されていません。」等のエラーメッセージを表示後、ＥＮＵＭ外線通信の処理動作を終了する。
【００９６】
ＥＮＵＭ用ＤＮＳ１９０に対する問い合わせにより通信相手の電話番号に基づくＮＡＰＴＲ−ＲＲ情報が得られた場合は、取得したＮＡＰＴＲ−ＲＲ情報に基づき情報通信装置１００が利用可能な通信手段に適合する通信相手の通信手段で画情報を送信する（ステップＳ４１１）。
【００９７】
なお、取得したＮＡＰＴＲ−ＲＲ情報に基づき情報通信装置１００が利用可能な通信手段に適合する通信相手の通信手段が複数存在する場合は、通信相手が設定した通信手段の優先順位、または情報通信装置１００で設定した通信手段の優先順位に基づき、優先順位の高い通信手段で画情報を送信する。
【００９８】
ステップＳ４０４において、ＥＮＵＭ外線操作画面５００で通信相手の電話番号を入力後、ＥＮＵＭ問合せボタン５０８が選択されると（ステップＳ４０４でＮＯ、ステップＳ４０５でＹＥＳ）、ステップ４１０の処理動作と同様に、入力された電話番号に基づきＥＮＵＭ用ＤＮＳ１９０に対して問い合わせ処理を行い、入力された電話番号に対応付けられた通信手段や通信手段の優先順位及びアドレス等の情報を記録したＮＡＰＴＲ−ＲＲ情報を取得する（ステップＳ４０６）。  
ＥＮＵＭ用ＤＮＳ１９０に対する問い合わせの結果、ＮＡＰＴＲ−ＲＲ情報が得られなかった場合は、「宛先は、ＥＮＵＭに登録されていません。」等のエラーメッセージを表示後、ＥＮＵＭ外線通信の処理動作を終了する。
【００９９】
ＥＮＵＭ用ＤＮＳ１９０に対する問い合わせにより通信相手の電話番号に対応付けられたＮＡＰＴＲ−ＲＲ情報が得られた場合は、取得したＮＡＰＴＲ−ＲＲ情報に基づき情報通信装置１００が利用可能な通信手段に適合する通信相手及び通信手段に設定された優先順位等の情報が図７に示すようなＵＲＩ表示画面（ＥＮＵＭ外線）７００が操作／表示部１０５に表示される（ステップＳ４０７）。
【０１００】
図７に示すように、ＵＲＩ表示画面（ＥＮＵＭ外線）７００は、メッセージ表示欄７０１と、操作部７０２から構成されており、メッセージ表示欄７０１には、ＥＮＵＭ外線操作画面５００（図５参照）で入力された通信相手の宛先番号（例えば「３５８５３２１１」）７０１１と、宛先番号に対応したＥＮＵＭ形式のドメイン名（例えば、「１．１．２．３．５．８．５．３．３．１．８．ｅ１６４．ａｒｐａ」）７０１２が表示されている。
【０１０１】
操作表示欄７０２には、画情報を送信するか否かを選択指示する選択指示ボタン７０３と、取得したＮＡＰＴＲ−ＲＲ情報に基づき情報通信装置１００が利用可能な通信手段に適合する通信相手の通信手段及びアドレス等の通信手段情報７０４が通信相手が設定した各通信手段の優先順位に基づき表示され、通信手段情報７０４に表示された各通信手段を画面の上下方向へカーソルを移動させて選択する通信手段情報選択ボタン７０５が表示されている。
【０１０２】
この通信手段情報７０４には、通信相手の通信手段とアドレスが、各通信手段の優先順位に基づき優先順位の高い順にＵＲＩ表示画面（ＥＮＵＭ外線）７００の上から下へ表示される。
【０１０３】
ＵＲＩ表示画面（ＥＮＵＭ外線）７００によると、例えば優先順位の最も高い通信相手の通信手段及びアドレスが「ｉＦＡＸ＿ｅＭａｉｌ：ｉｎｆｏ−ｍａｉｌ＠ｍａｉｌ．ｃｏｍ」であり、電子メールを使用したインターネットファックス通信であることを示している。
【０１０４】
また、優先順位の高い順に通信相手の通信手段及びアドレスが「ｉＦＡＸ＿ＩＰ：ｉｎｆｏ−ｆａｘ＠ｉｆａｘ．ｃｏｍ」、「ＦＡＸ＿ＰＳＴＮ：＋８１３３５８５３２１」、「Ｔｅｌ＿ｓｉｐ：ｉｎｆｏ＠ｆｕｊｉ．ｃｏｍ」であり、それぞれリアルタイムに通信できるインターネットファックス通信、電話回線を使用したファックス通信、インターネット電話通信を示している。
【０１０５】
ユーザは、ＵＲＩ表示画面（ＥＮＵＭ外線）７００に表示された通信手段情報７０４の中から所望の通信手段を選択し、画情報を送信する「はい」の選択指示ボタン７０３を指等でタッチすることで（ステップＳ４０９でＹＥＳ）、選択された通信手段で当該通信手段のアドレス先へ画情報を送信し（ステップＳ４０９）、画情報送信後、ＥＮＵＭ外線通信の処理動作を終了させる。
【０１０６】
なお、通信手段情報７０４の中から所望の通信手段を選択する方法は、例えば最も優先順位の高い「ｉＦＡＸ＿ｅＭａｉｌ：ｉｎｆｏ−ｍａｉｌ＠ｍａｉｌ．ｃｏｍ」の通信手段に対応した表示された「電子メールに画像を添付して送信します」との問い合わせに対して、ユーザが「はい」を選択した場合は、選択された通信手段を使用して画情報の送信が開始され、「いいえ」を選択した場合は、次に優先順位の高い「ｉＦＡＸ＿ＩＰ：ｉｎｆｏ−ｆａｘ＠ｉｆａｘ．ｃｏｍ」の通信手段に対応した表示された問い合わせに対して「はい」または「いいえ」を選択することで各選択された内容に応じた処理が行われる。
【０１０７】
また、通信手段情報選択ボタン７０５を指等でタッチしてカーソルを上下方向へ移動させることで、カーソルが示す当該通信手段に対応した問い合わせに対して、「はい」を選択して当該通信手段による画情報の送信を実行する。
【０１０８】
次に、情報通信装置１００がＥＮＵＭと連動してＥＮＵＭ内線通信を行う場合の処理動作について詳細に説明する。
【０１０９】
図８は、情報通信装置１００がＥＮＵＭと連動してＥＮＵＭ内線通信を行う場合の処理動作を示すフローチャートであり、図８に示すように、前述したＥＮＵＭ外線操作画面５００（図５参照）において、内外線選択ボタン５０９が選択されると、図９に示すようなＥＮＵＭ利用によるＥＮＵＭ内線通信の操作画面であるＥＮＵＭ内線操作画面５１０が表示される（ステップＳ８０１）。
【０１１０】
図９に示すように、ＥＮＵＭ内線操作画面５１０は、ＥＮＵＭ外線操作画面５００（図５参照）と同様に、操作部５１１（破線で囲まれた部分）と電話番号等を入力するテンキーボタン部５１２（破線で囲まれた部分）が表示されており、操作部５１１は、メッセージ表示欄５１３（上段の黒塗り部分）と、操作表示欄５１４（下段の部分）とで構成されており、メッセージ表示欄５１３のＥＮＵＭ内線の種別と、ＥＮＵＭドメイン名を示す「ＥＮＵＭ内線」の欄に表示されたデフォルト値の「７．ａｂｃ．ｃｏ．ｊｐ」が表示されている他は、ＥＮＵＭ外線操作画面５００と同様な画面構成を成している。
【０１１１】
このデフォルト値「７．ａｂｃ．ｃｏ．ｊｐ」は、左から順に「７．」が各組織に割り当てられたコードであり、「ａｂｃ．ｃｏ．ｊｐ」が「７．」に割り当てられた組織を管理する上層に割り当てられたコードをそれぞれ示している。
【０１１２】
具体的には、「７．ａｂｃ．ｃｏ．ｊｐ」の識別子が付加されたドメイン名は、構内ＥＮＵＭ用ＤＮＳ１１０によって管理されていることを示している。
【０１１３】
ＥＮＵＭ内線操作画面５１０において、構内ネットワーク１７０または構内電話回線２２０内で対応付けられた通信相手の電話番号（以下、「内線番号」という。）が入力されると（ステップＳ８０２）、内線番号の入力と同時に入力された内線番号が「宛先番号」欄に表示され、入力された内線番号に対応したＥＮＵＭ形式のドメイン名が「ＥＮＵＭ内線」欄に表示される（ステップＳ８０３）。
【０１１４】
入力された内線番号をＥＮＵＭ形式のドメイン名に変換する方法は、前述に説明したＥＮＵＭ外線通信の場合と同様に、例えば内線番号が「１２３４５６７」と入力されると、数字間にドット「．」を付加し、数字を逆順させてデフォルト値「７．ａｂｃ．ｃｏ．ｊｐ」を付加した「７．６．５．４．３．２．１．７．ａｂｃ．ｃｏ．ｊｐ」の文字列のドメイン名に変換する。
【０１１５】
通信相手の内線番号が入力され、図示せぬ送信指示ボタンが選択されると（ステップＳ８０４でＹＥＳ）、入力された内線番号に基づき構内ＥＮＵＭ用ＤＮＳ１１０に対して問い合わせ処理を行い、入力された内線番号に対応付けられた通信手段や通信手段の優先順位及びアドレス等の情報を記録したＮＡＰＴＲ−ＲＲ情報を取得する（ステップＳ８１０）。  
具体的には、ＥＮＵＭ外線通信の場合と同様に、入力された内線番号「１２３４５６７」に対応したＥＮＵＭ形式のドメイン名「７．６．５．４．３．２．１．７．ａｂｃ．ｃｏ．ｊｐ」に基づきシステム制御部１０１の命令指示により操作／表示部１０４からバス１０７を介してＥＮＵＭ用ＤＮＳ処理部１５０に送られ、ＥＮＵＭ用ＤＮＳ処理部１５０とＴＣＰ／ＵＤＰ／ＩＰ制御部１０８とネットワークインタフェース１０９を介して構内ネットワーク１７０に接続された構内ＥＮＵＭ用ＤＮＳ１１０に送信されてドメイン名「７．６．５．４．３．２．１．７．ａｂｃ．ｃｏ．ｊｐ」に対応付けられたＮＡＰＴＲ−ＲＲ情報の問い合わせを行う。
【０１１６】
構内ＥＮＵＭ用ＤＮＳ１１０には、ＥＮＵＭ用ＤＮＳ１９０に登録されたＮＡＰＴＲ−ＲＲ情報６００と同様に、内線番号に対応したドメイン名に対応付けられた各通信手段と各通信手段に対応したアドレス及び通信手段の優先順位等の情報を記録したＮＡＰＴＲ−ＲＲ情報（ＥＮＵＭ内線用）が図示せぬデータベースに登録されており、構内ＥＮＵＭ用ＤＮＳ１１０が情報通信装置１００からの内線番号に基づくドメイン名の問い合わせに対して当該ドメイン名に対応付けられたＮＡＰＴＲ−ＲＲ情報（ＥＮＵＭ内線用）を返信する。
【０１１７】
構内ＥＮＵＭ用ＤＮＳ１１０に対する問い合わせの結果、ＮＡＰＴＲ−ＲＲ情報（ＥＮＵＭ内線用）が得られなかった場合は、ＥＮＵＭ外線通信の場合と同様に「宛先は、ＥＮＵＭに登録されていません。」等のエラーメッセージを表示後、ＥＮＵＭ内線通信の処理動作を終了させる。
【０１１８】
構内ＥＮＵＭ用ＤＮＳ１１０に対する問い合わせにより通信相手の内線番号に対応付けられたＮＡＰＴＲ−ＲＲ情報（ＥＮＵＭ内線用）が得られた場合は、取得したＮＡＰＴＲ−ＲＲ情報（ＥＮＵＭ内線用）に基づき情報通信装置１００が利用可能な通信手段に適合する通信相手の通信手段で画情報を送信する（ステップＳ８１１）。
【０１１９】
なお、取得したＮＡＰＴＲ−ＲＲ情報（ＥＮＵＭ内線用）に基づき情報通信装置１００が利用可能な通信手段に適合する通信相手の通信手段が複数存在する場合は、ＥＮＵＭ外線通信の場合と同様に通信相手が設定した通信手段の優先順位、または情報通信装置１００で設定した通信手段の優先順位に基づき、優先順位の高い通信手段で画情報を送信する。
【０１２０】
ステップＳ８０４において、ＥＮＵＭ内線操作画面５１０で通信相手の内線番号を入力後、ＥＮＵＭ問合せボタン５１８が選択されると（ステップＳ８０４でＮＯ、ステップＳ８０５でＹＥＳ）、ステップ８１０の処理動作と同様に、入力された内線番号に基づき構内ＥＮＵＭ用ＤＮＳ１１０に対して問い合わせ処理を行い、入力された内線番号に対応付けられた通信相手の通信手段や通信手段の優先順位及びアドレス等の情報を記録したＮＡＰＴＲ−ＲＲ情報（ＥＮＵＭ内線用）を取得する（ステップＳ８０６）。  
構内ＥＮＵＭ用ＤＮＳ１１０に対する問い合わせの結果、ＮＡＰＴＲ−ＲＲ情報が得られなかった場合は、「宛先は、ＥＮＵＭに登録されていません。」等のエラーメッセージを表示後、ＥＮＵＭ内線通信の処理動作を終了させる。
【０１２１】
構内ＥＮＵＭ用ＤＮＳ１１０に対する問い合わせにより通信相手の内線番号に対応付けられたＮＡＰＴＲ−ＲＲ情報（ＥＮＵＭ内線用）が得られた場合は、取得したＮＡＰＴＲ−ＲＲ情報（ＥＮＵＭ内線用）に基づき情報通信装置１００が利用可能な通信手段に適合する通信相手及び通信手段に設定された優先順位等の情報が図１０に示すようなＵＲＩ表示画面（ＥＮＵＭ内線）９００が操作／表示部１０５に表示される（ステップＳ８０７）。
【０１２２】
図１０に示すように、ＵＲＩ表示画面（ＥＮＵＭ内線）７１０は、ＥＮＵＭ外線通信におけるＥＮＵＭ問合せを選択した場合と同様に、メッセージ表示欄７１１と、操作部７１２から構成されており、メッセージ表示欄７１１には、ＥＮＵＭ内線操作画面５１０（図９参照）で入力された通信相手の内縁番号（例えば、「１２３４５６７」）７１１１と、入力された内線番号に対応したＥＮＵＭ形式のドメイン名（例えば、「７．６．５．４．３．２．１．７．ａｂｃ．ｃｏ．ｊｐ」）７１１２が表示されている。
【０１２３】
操作表示欄７１２には、画情報を送信するか否かを選択指示する選択指示ボタン７１３と、取得したＮＡＰＴＲ−ＲＲ情報（ＥＮＵＭ内線用）に基づき情報通信装置１００が利用可能な通信手段に適合する通信相手の通信手段及びアドレス等の通信手段情報７１４が通信相手が設定した各通信手段の優先順位に基づき表示され、通信手段情報７１４に表示された各通信手段を画面の上下方向へカーソルを移動させて選択する通信手段情報選択ボタン７１５が表示されている。
【０１２４】
この通信手段情報７１４には、前述で説明したＥＮＵＭ外線通信の場合のＵＲＩ表示画面（ＥＮＵＭ外線）７００の場合と同様に、通信相手の通信手段とアドレスが、各通信手段の優先順位に基づき優先順位の高い順にＵＲＩ表示画面（ＥＮＵＭ内線）７１０の上から下へ表示されており、ユーザが所望する通信相手の利用可能な通信手段を選択し、送信指示することにより（ステップＳ８０８でＹＥＳ）、選択された通信手段による当該通信手段のアドレス先へ画情報を送信し（ステップＳ８０９）、画情報送信後、ＥＮＵＭ内線通信の処理動作を終了させる。
【産業上の利用可能性】
【０１２５】
この発明は、電子メール、インターネットファックス、ファックスなど複数の通信手段を有する情報通信装置において利用可能である。
【０１２６】
この発明によれば、通常の入力画面を有する情報通信装置において、既存の電話番号入力方式と内線、外線通信の形態を大きく変更することなくＥＮＵＭと連動して通信相手のアドレスを入手し、通信することができる。
【図面の簡単な説明】
【０１２７】
【図１】本発明に係わる情報通信装置１００の接続状態の一例を示した概略図
【図２】本発明に係わる情報通信装置１００の構成例を示すブロック図
【図３】ファックス基本画面３００の一例を示す図
【図４】ＥＮＵＭ外線通信を行う場合の処理動作を示すフローチャート
【図５】ＥＮＵＭ外線操作画面５００の一例を示す図
【図６】ＥＮＵＭ用ＤＮＳ１９０に登録されたＮＡＰＴＲ−ＲＲ情報６００の一例を示す図
【図７】ＵＲＩ表示画面（ＥＮＵＭ外線）７００の一例を示す図
【図８】ＥＮＵＭ内線通信を行う場合の処理動作を示すフローチャート
【図９】ＥＮＵＭ内線操作画面５１０の一例を示す図
【図１０】ＵＲＩ表示画面（ＥＮＵＭ内線）９００の一例を示す図
【符号の説明】
【０１２８】
１０、２１１  電話
１１、２１２  ＦＡＸ装置
２０、１１１  ＩＰ電話
３０、４０、１１２  コンピュータ
５０、１１３  インターネットＦＡＸ装置
１００、１１０  情報通信装置      
１０１    システム制御部
１０２    スキャナ部
１０３    プリンタ部
１０４    操作／表示部
１０５    画像蓄積部
１０６    ＲＡＭ
１０７    バス
１０８    ＴＣＰ／ＵＤＰ／ＩＰ制御部
１０９    ネットワークインタフェース
１１０    構内ＥＮＵＭ用ＤＮＳ
１２０    ＦＡＸ部
１２１    通信画像処理部
１２２    Ｔ３０制御部
１２３    モデム
１２４    音声通話部
１２５    ＮＣＵ
１２７    音声符号化複合化部
１２８    リアルタイム転送制御部
１３０    リアルタイムｉＦＡＸ部
１３１    通信画像処理部
１３２    Ｔ３０制御部
１３３    Ｔ３８制御部
１４０    電子メールｉＦＡＸ部
１４１    通信画像処理部
１４２    Ｔ３７制御部
１４３    ＳＭＴＰ制御部
１５０    ＥＮＵＭ用ＤＮＳ処理部
１６０    セッション接続制御部
１７０    構内ネットワーク
１８０    インターネット
１９０    ＥＮＵＭ用ＤＮＳ
２００    公衆網電話回線（ＰＳＴＮ）
２２０    構内電話回線
３００    ファックス基本画面
５００    ＥＮＵＭ外線操作画面
５１０    ＥＮＵＭ内線操作画面
７００    ＵＲＩ表示画面（ＥＮＵＭ外線）
７１０    ＵＲＩ表示画面（ＥＮＵＭ内線）
６００    ＥＮＵＭ用ＤＮＳ１９０に登録されたＮＡＰＴＲ−ＲＲ情報
８００    ＥＮＵＭ自動登録通知画面
【図１】
2006041915.tif 000003
【図２】
2006041915.tif 000004
【図３】
2006041915.tif 000005
【図４】
2006041915.tif 000006
【図５】
2006041915.tif 000007
【図６】
2006041915.tif 000008
【図７】
2006041915.tif 000009
【図８】
2006041915.tif 000010
【図９】
2006041915.tif 000011
【図１０】
2006041915.tif 000012